(57)【要約】【課題】装身具の所望の位置を後付けで束ねることができ、衣服や雰囲気に合わせて装身具の結束位置や束ね形状を自由に変化させることができ、しかも、束ねた部分に立体感を出すことで見た目の豪華を向上させることができる連玉装身具の束ね具を提供する。【解決手段】束ね具本体１２に、この束ね具本体１２の外周で開口し、この開口の幅よりも内部が大径となる偶数の鉤形孔１３を設ける。【選択図】図１
2005348754.tif 000002
【特許請求の範囲】
【請求項１】
所定の形状に形成された束ね具本体に、この束ね具本体の外周で開口し、この開口の幅よりも内部が大径となる偶数の鉤形孔を設けた連玉装身具等の束ね具。
【請求項２】
リング状に形成された束ね具本体に、この束ね具本体の内周又は外周で開口し、この開口の幅よりも内部が大径となる偶数の鉤形孔を設けた連玉装身具等の束ね具。
【請求項３】
リング状に形成された束ね具本体に偶数の紐通し孔を設け、この束ね具本体に、対となる紐通し孔を互に接続する接続部と、この接続部の途中と連通して束ね具本体の内周又は外周で開口する出し入れ部とからなる紐誘導通路を設けた連玉装身具等の束ね具。
【発明の詳細な説明】
【技術分野】
【０００１】
この発明は、連玉装身具である単条ネックレス等の途中を束ねたり、婦人雑貨等の装飾品となる連玉装飾具の途中や両端を接続するための束ね具に関する。
【背景技術】
【０００２】
例えば、連玉装身具の一つである単条ネックレス１は、図７のように、真珠等の多数の装飾玉２を一本の綴り糸３で綴って所定の長さに形成され、この単条ネックレス１は、例えば、一本又は複数本を並列させた状態で首に掛け、両側の平行させた途中の位置を束ねることで、首にかけて装身具とするものである。
【０００３】
また、連玉装身具の他の例としては、真珠等の多数の装飾玉２を編み糸で編むようにして所定の形状に仕上げたものもある。
【０００４】
従来、上記単条ネックレス１の途中を束ねる方法は、図７（ｃ）のように、複数の紐通し孔４を並べて設けた束ね具５を用い、単条ネックレス１に対して先付けすることにより、途中の位置を束ねるようにしたものと、横長ブロック状に形成された束ね具本体に、この束ね具本体の外周で開口し、この開口の幅よりも内部が大径となる複数の鉤形孔を設け、装飾玉間の綴り糸を鉤形孔に挿入することにより、単条ネックレスに対して後付けで途中の位置を束ねるようにしたものが用いられている（特許文献１参照）。
【０００５】
前記の先付け束ね具は、真珠等の多数の玉２を綴り糸３に通して単条ネックレス１を形成する工程の途中において、必要とする位置になるよう綴り糸３に束ね具５を通し、図７（ａ）のように、首に掛けるリング状部１ａと房条部１ｂからなるネックレスを組み立てるものである。
【特許文献１】特開２０００−２３７１９号公報
【発明の開示】
【発明が解決しようとする課題】
【０００６】
ところで、従来のような先付けの束ね具５は、ネックレスの組み立て工程が煩雑になるだけでなく、組込み位置を間違えたり綴り糸３が切れたらやりなおさなければならず、また、装飾玉を編み糸で編むようにした連玉装身具では、編糸が切断すると、全ての編み込み作業を最初からやり直さなければならず、しかも、組みあがったネックレスは結束位置の変更ができないことになり、従って、衣服や雰囲気に合わせてネックレスの結束位置の変更による形状のデザインアレンジができないという問題がある。
【０００７】
また、従来の先付け束ね具５及び後付け束ね具は、何れの場合も、横長の板に複数の紐通し孔４や鉤孔を一列に並べて設けた構造になっているので、ネックレスの束ねた部分が並列した形状になり、このため、束ねた部分に立体感を出すことができず、束ねた部分は見た目の豪華さに欠け、装飾性に劣るという問題がある。
【０００８】
そこで、この発明の課題は、連玉装身具の所望の位置を後付けで束ねる束ね具において、束ねた部分に立体感を出すことで見た目の豪華さを向上させることができ、衣服や雰囲気に合わせて装身具の結束位置や束ね形状を自由に変化させることができる連玉装身具の束ね具を提供することにある。
【課題を解決するための手段】
【０００９】
上記のような課題を解決するため、請求項１の発明は、所定の形状に形成された束ね具本体に、この束ね具本体の外周で開口し、この開口の幅よりも内部が大径となる偶数の鉤形孔を設けた構成を採用したものである。
【００１０】
請求項２の発明は、リング状に形成された束ね具本体に、この束ね具本体の内周又は外周で開口し、この開口の幅よりも内部が大径となる偶数の鉤形孔を設けた構成を採用したものである。
【００１１】
請求項３の発明は、リング状に形成された束ね具本体に偶数の紐通し孔を設け、この束ね具本体に、対となる紐通し孔を互に接続する接続部と、この接続部の途中と連通して束ね具本体の内周又は外周で開口する出し入れ部とからなる紐誘導通路を設けた構成を採用したものである。
【００１２】
ここで、上記束ね具本体のリング形状は、円形、四角、ハート形、星形等任意の形状を採用することができ、この束ね具本体に設ける鉤形孔は、束ね具本体の内周又は外周で開口する部分から束ね具本体の周方向に湾曲する幅の狭い出し入れ通路と、この出し入れ通路の内端に出し入れ通路の狭い部分よりも大径となるよう設けた紐通し孔とからなり、出し入れ通路が湾曲していることにより、紐通し孔に通した綴り紐や編糸が抜けにくくなる。
【００１３】
また、上記束ね具本体は、金属、貴金属、樹脂等を用いて形成され、束ね具本体に設けた紐通し孔の周囲における両面は、装飾玉が安定よく収まる凹入面になっていると共に、出し入れ通路の開口端側は、両側が外広がりに拡開し、綴り糸や編糸の差し込みが円滑に行えるようになっている。
【００１４】
また、上記した束ね具本体の表面にシリコン樹脂等を塗布し、綴り糸や編糸の切断発生を防いだり、装飾玉に傷がつかないようにすることができる。
【発明の効果】
【００１５】
この発明によると、連玉装身具の途中を後付けによって束ねる束ね具において、所定の形状に形成された束ね具本体に偶数の鉤形孔や紐通し孔を円形等の配置に設けることにより、装身具の束ねた部分が円形等になって前後に立体感を出すことができ、これによって、連玉装身具の束ねた部分が見た目に豪華となり、連玉装身具の装飾性を一段と向上させることができる。
【００１６】
また、後付けによって束ねる束ね具は、連玉装身具の組み立て工程に全く支障を与えることがなく、後付けであるので、連玉装身具の束ねる位置を自由に選択でき、衣服や雰囲気に合わせて連玉装身具の束ね形状を自由に変化させることができる。
【００１７】
また、鉤形孔や屈曲した紐誘導通路の採用により、挿入した綴り糸や編糸が外れるのを有効に防ぐことができ、装身具から束ね具が離脱するようなことがなく、装身具の束ね状態を確実に維持することができる。
【発明を実施するための最良の形態】
【００１８】
以下、この発明の実施の形態を図示例に基づいて説明する。
【００１９】
図６に一例として示した連玉装身具は、真珠等の多数の装飾玉２を一本の綴り糸３で綴って単条ネックレス１に形成され、一本又は複数本を並列させた状態で首に掛け、両側の平行させた途中の位置を束ね具１１で束ねることで、首にかけて使用するものである。
【００２０】
図１は、上記単条ネックレス１に対して両側の平行させた途中の位置を束ねる束ね具１１の第１の実施形態を示し、リング状に形成された束ね具本体１２に、この束ね具本体１２の外周で開口し、この開口の幅よりも内部が大径となる複数の鉤形孔１３を設けた構造になっている。
【００２１】
図２は、上記束ね具１１の第２の実施形態を示し、リングに形成された束ね具本体１２に、この束ね具本体１２の内周で開口し、この開口の幅よりも内部が大径となる複数の鉤形孔１３を設けた構造になっている。
【００２２】
上記第１及び第２の実施形態において、束ね具本体１２は、図示のような円形のリング状に限るものではなく、例えば、四角、ハート形、星形等任意のリング形状を採用することができ、この束ね具本体１２に設ける鉤形孔１３は、束ね具本体１２の内周又は外周で開口する部分から束ね具本体１２の周方向に湾曲する幅の狭い出し入れ通路１３ａと、この出し入れ通路１３ａの内端に、出し入れ通路１３ａの幅の狭い部分よりも大径となるよう設けた紐通し孔１３ｂとからなり、出し入れ通路１３ａが湾曲していることにより、紐通し孔１３ｂに通した綴り紐３や編糸が抜けにくくなる。
【００２３】
また、鉤形孔１３における出し入れ通路１３ａにおいて、束ね具本体１２の内周又は外周における開口端側は、両側が外広がりに拡開し、綴り糸３の差し込みが円滑に行えるようになっている。
【００２４】
図３は、上記束ね具１１の第３の実施形態を示し、束ね具本体１２に、この束ね具本体１２の外周で開口し、この開口の幅よりも内部が大径となる綴り糸や編糸の紐通し部１４を複数設けた構造になっている。
【００２５】
この紐通し部１４は、束ね具本体１２に設けた円形の紐通し孔１４ａと、この紐通し孔１４ａの直径よりも幅が狭く、束ね具本体１２の外周で開放する出し入れ通路１４ｂとからなり、出し入れ通路１４ｂの開口端側は、両側が外広がりに拡開し、綴り糸３や編糸の差し込みが円滑に行えるようになっている。
【００２６】
この第３の実施形態では、綴り糸や編糸の紐通し部１４の出し入れ通路１４ｂを、束ね具本体１２の外周で開放させたが、出し入れ通路１４ｂを束ね具本体１２の内周で開放させた構造とすることができる。
【００２７】
図４と図５は、上記束ね具１１の第４の実施形態を示し、リング状に形成された束ね具本体１２に偶数の紐通し孔１５を円状の配置で設け、この束ね具本体１２に、対となる紐通し孔１５を互に接続する接続部１６と、この接続部１６の途中と連通して束ね具本体１２の外周で開口する出し入れ部１７とからなるＴ字形の紐誘導通路１８を設けた構造になっている。
【００２８】
上記紐通し孔１５は紐誘導通路１８の幅よりも大径に形成され、紐誘導通路１８における出し入れ部１７の開口端側は、両側が外広がりに弧状となるよう拡開し、厚みも薄くなるように加工され、綴り糸３や編糸の差し込みが円滑に行えるようになっている。
【００２９】
この第４の実施形態のように、対となる二つの紐通し孔１５をＴ字状の一つの紐誘導通路１８で接続するようにすると、紐通し孔１５に対して紐誘導通路１８の数を半減することができ、加工工程が有利となる。
【００３０】
上記第４の実施形態の束ね具１１の紐通し孔１５に対して綴り糸３を通すには、出し入れ部１７の開口端から先ず一本目の綴り糸３を挿入し、接続部１６で一方の紐通し孔１５に誘導し、次に、二本目の綴り糸３を挿入し、接続部１６で他方の紐通し孔１５に誘導することにより、対となる紐通し孔１５にそれぞれ綴り糸３を通すことができる。
【００３１】
この第４の実施形態の束ね具１１における紐誘導通路１８は、図示の場合、束ね具本体１２の外周で開口させたが、束ね具本体１２の内周で開口させるようにしてもよく、この場合、束ね具本体１２は装飾玉２が通過できる内径に設定されている。
【００３２】
ここで、第４の実施形態の束ね具１１において、紐通し孔１５を設ける数は束ね具本体１２の直径に合わせて設定すればよく、図示例のように、合計１０個の紐通し孔１５を設けた場合、束ね具本体１２は、例えば、外径１５ｍｍ、内径８ｍｍ、板厚１ｍｍに設定され、図４のように、表と裏の形状は全く同じ形状になっている。
【００３３】
ここで、上記第１乃至第４の各実施形態において、束ね具本体１２は、金属、貴金属、樹脂等を用いて装飾性のある形状に形成され、外表面にメッキを施して更に装飾性を向上させるようにしてもよく、また、束ね具本体１２に設けた鉤形孔１３や紐通し部１４における紐通し孔１４ａ、１５の周囲における両面には、装飾玉２が安定よく収まる凹入面２０になっていると共に、束ね具本体１２の表面にシリコン樹脂や塗料等を塗布し、綴り糸３や編糸の切断発生を防いだり、装飾玉２に傷がつかないようにすることができる。
【００３４】
この発明の束ね具１１は、上記のような構成であり、図６に一例を示すように、単条ネックレス１を一本又は複数本を並列させた状態で首に掛け、胸の前で両側の平行させた途中の位置を束ね具１１で束ねることにより、首に掛けるリング状部１ａと房条部１ｂからなるネックレスとなる。
【００３５】
なお、束ねによる単条ネックレス１の装身具としてのデザインは、単条ネックレス１の首への巻付け形状の選択と、束ね具１１による束ねる位置の選択によって変化させることができる。
【００３６】
単条ネックレス１を束ねるには、束ねたい位置にある上下の装飾玉２間に束ね具１１を臨ませ、束ね具本体１２に設けた紐通し孔１３ｂ、１４ａ、１５に、上下装飾玉２間の綴り紐３や編糸の途中を挿入することによって束ねることができ、束ね具１１は、単条ネックレス１の途中を後付けによって束ねることができるので、単条ネックレス１の組み立て工程に全く支障を与えることがなく、後付けであるので、単条ネックレス１の束ねる位置を自由に選択でき、衣服や雰囲気に合わせて単条ネックレス１の束ね形状を自由に変化させることができる。
【００３７】
また、束ね具１１をリング状に形成し、偶数の紐通し孔１３ｂ、１４ａ、１５を円形状等に配置して設けてあるので、単条ネックレス１の束ねた部分を円形等にすることで前後左右に立体感を出すことができ、これによって、単条ネックレス１の束ねた部分が見た目に豪華となり、単条ネックレス１の装飾性を一段と向上させることができる。
【００３８】
なお、束ね具１１における束ね具本体１２は、図示のようなリング形状に限定されるものではなく、束ね具本体１２を円形等の板状とし、この束ね具本体１２の周囲に第１乃至第４の実施の形態で示した紐通し孔１３ｂ、１４ａ、１５を円状の配置で偶数設けた構造とすることができる。
【００３９】
更に、束ね具１１の使用は、上記した単条ネックレス１に限定されるものではなく、例えば、カバンや袋等の婦人雑貨等に取り付ける装飾品である連玉装飾具の途中や両端を接続する用途に用いることができる。
【図面の簡単な説明】
【００４０】
【図１】（ａ）はこの発明に係る束ね具の第１の実施の形態を示す平面図、（ｂ）は同上の要部を拡大した縦断正面図
【図２】（ａ）はこの発明に係る束ね具の第２の実施の形態を示す平面図、（ｂ）は同上の要部を拡大した縦断正面図
【図３】この発明に係る束ね具の第３の実施の形態を示す平面図
【図４】（ａ）はこの発明に係る束ね具の第４の実施の形態を示す平面図、（ｂ）は同底面図
【図５】（ａ）は図４（ａ）の拡大した正面図、（ｂ）は図４（ａ）の矢印ｂ−ｂの拡大した縦断面図、（ｃ）は図４（ａ）の矢印ｃ−ｃの拡大した縦断面図、（ｄ）はこの第４の実施の形態における要部の斜視図
【図６】第１の実施の形態の束ね具の使用状態を示す斜視図
【図７】（ａ）は従来の先付け束ね具の使用状態を示す斜視図、（ｂ）はこの束ね具で束ねた部分の横断平面図、（ｃ）は従来の先付け束ね具の斜視図
【符号の説明】
【００４１】
１        単条ネックレス
２        装飾玉
３        綴り糸
４        紐通し孔
５        束ね具
１１      束ね具
１２      束ね具本体
１３      鉤形孔
１３ａ    出し入れ通路
１３ｂ    紐通し孔
１４      紐通し部
１４ａ    紐通し孔
１４ｂ    出し入れ通路
１５      紐通し孔
１６      接続部
１７      出し入れ部
１８      紐誘導通路
２０      凹入面
【図１】
2005348754.tif 000003
【図２】
2005348754.tif 000004
【図３】
2005348754.tif 000005
【図４】
2005348754.tif 000006
【図５】
2005348754.tif 000007
【図６】
2005348754.tif 000008
【図７】
2005348754.tif 000009